(57)【要約】      （修正有）【課題】タッチパネルを備える電子装置におけるパネルの傷つきを減少させるタッチペン及び補充芯を提供する。【解決手段】パネルの傷つきを減少させるタッチペンであって、ペン軸部材１０とタッチペン芯２０を含み、該タッチペン芯２０は前記ペン軸部材１０に着脱可能に設けられ、かつ、軟質繊維素材からなるパネルタッチ用のペン芯先２１を備える。ペン軸部材１０は、ペン軸１１と、該ペン軸１１の底端に螺着されているペン先１２と、前記ペン軸１１底端に取り付けられて該タッチペン芯２０を保護する前端カバー１３と、前記ペン軸１０上端に設けられている後端カバー１４と、を備える。【選択図】図３
2010282620.tif 000002
【特許請求の範囲】
【請求項１】
パネルの傷つきを減少させるタッチペンであって、ペン軸部材とタッチペン芯を含み、該タッチペン芯は前記ペン軸部材に着脱可能に設けられ、かつ、軟質繊維素材からなるパネルタッチ用のペン芯先を備えることを特徴とするパネルの傷つきを減少させるタッチペン。
【請求項２】
前記タッチペン芯は、前記ペン芯先に付着される潤滑剤を更に含み、該潤滑剤はワックスを含むことを特徴とする請求項１に記載のパネルの傷つきを減少させるタッチペン。
【請求項３】
前記タッチペン芯は、前記ペン芯先に付着される潤滑剤を更に含み、該潤滑剤は潤滑油脂を含むことを特徴とする請求項１に記載のパネルの傷つきを減少させるタッチペン。
【請求項４】
前記ペン芯先の素材は、綿、絹、ナイロン糸、レーヨン、ポリエステル繊維、人造絹糸、羊毛、アクリル系繊維、ライクラ、及び亜麻の中の一種類又は組み合わせにより構成されることを特徴とする請求項１に記載のパネルの傷つきを減少させるタッチペン。
【請求項５】
複数の予備用タッチペン芯を更に含み、該ペン軸部材は、前記複数の予備用タッチペン芯を収納する収納空間を備えることを特徴とする請求項１に記載のパネルの傷つきを減少させるタッチペン。
【請求項６】
前記ペン軸部材はペン軸と該ペン軸の底部に設けられているペン先を含み、該タッチペン芯はペン芯先から延びられ、かつ、着脱可能に前記ペン先に差し込まれているペン芯軸部を更に含むことを特徴とする請求項１に記載のパネルの傷つきを減少させるタッチペン。
【請求項７】
前記ペン軸部材はペン軸上端に設けられている後端カバーを更に備えることを特徴とする請求項６に記載のパネルの傷つきを減少させるタッチペン。
【請求項８】
前記ペン軸部材はペン軸底端に取り付けられて該タッチペン芯を保護する前端カバーを更に備えることを特徴とする請求項６に記載のパネルの傷つきを減少させるタッチペン。
【請求項９】
補充ユニットを更に含み、該補充ユニットは、前端カバーの前記ペン軸から離れる一端に設けられている潤滑部材と、該前端カバーを嵌めてかつ該潤滑部材を覆うカバーを含むことを特徴とする請求項８に記載のパネルの傷つきを減少させるタッチペン。
【請求項１０】
複数の予備用タッチペン芯を更に含み、該ペン軸部材は当該ペン軸上端に設けられている後端カバーを更に含み、該ペン軸は中空管状になっており、かつ、前記複数の予備用タッチペン芯を収納する収納空間を備え、該後端カバーと該ペン先が互いに連結されて当該ペン軸を密閉させ、該予備用のタッチペン芯は当該収納空間内に保持されていることを特徴とする請求項６に記載のパネルの傷つきを減少させるタッチペン。
【請求項１１】
該後端カバーには、予備用のタッチペン芯を受け入れ、かつ、該予備用のタッチペン芯を該ペン先に差し込むように凹溝が設けられていることを特徴とする請求項１０に記載のパネルの傷つきを減少させるタッチペン。
【請求項１２】
請求項１に記載のタッチペン用の補充ペン芯であって、前記補充ペン芯は１つの軸部と、当該軸部の両端に設けられている２つの予備ペン芯と、前記軸部と前記予備ペン芯の間に設けられている環状凹溝とを含み、前記予備ペン芯と前記軸部を分離させることにより当該予備ペン芯は予備用のタッチペン芯になることを特徴とするタッチペン用の補充ペン芯。
【請求項１３】
請求項１に記載のタッチペン用の補充ペン芯であって、前記補充ペン芯は１つの軸部と、当該軸部の一端に設けられている１つの予備ペン芯と、前記軸部と前記予備ペン芯の間に設けられている環状凹溝とを含むことを特徴とするタッチペン用の補充ペン芯。
【発明の詳細な説明】
【技術分野】
【０００１】
本発明はタッチペンに関し、特に、パネルの傷つきを減少させるタッチペン及び補充芯に関する。
【背景技術】
【０００２】
タッチパネルを備える電子装置１として、スマートフォン、PDA、Tablet PC、又はタッチパネル付きコンピュータなどがある。通常、図１に示すように、前記電子装置１は、本体１０１と、該本体１０１に取り付けているタッチパネル１０２と、該本体１０１に設置されているタッチペン１０３とを備える。
【０００３】
通常、前記タッチペン１０３を利用して前記タッチパネル１０２上で筆記する時、前記タッチパネル１０２上では擦れ傷がよく発生し、従って、タッチパネル１０２の画面表示に影響を与える。
【０００４】
図２に示すように、タッチペン１０３によるタッチパネル１０２の擦れ傷を防止するため、タッチパネル１０２上に保護フィルム２を貼り付ける方法が考案されているが、一般使用者の場合、保護フィルム２をタッチパネル１０２に正しく貼り付けるのは難しいことであり、貼り付けの不具合により、保護フィルム２とタッチパネル１０２の間に隙間が発生し、従って、パネルの美観に影響を与えるだけではなく、タッチペン１０３の動作がタッチパネル１０２に伝われる感度にも影響を与え、また、保護フィルム２を一定期間使用した場合、前記タッチパネル１０２の場合と同じく、保護フィルム２上にもタッチペン１０３による擦れ傷が発生し、従って、パネルの画面表示が悪くなる。
【発明の開示】
【発明が解決しようとする課題】
【０００５】
前記問題点を鑑みて、本発明の１つの目的は、パネルの傷つきを減少させるタッチペンを提供することにある。
本発明のもう１つの目的は、パネルの傷つきを減少させるタッチペン用の補充ペン芯を提供することにある。
【課題を解決するための手段】
【０００６】
本発明のパネルの傷つきを減少させるタッチペンは、ペン軸部材とタッチペン芯を含む。該タッチペン芯は、前記ペン軸部材に着脱可能に設けられ、かつ、軟質繊維素材からなるパネルタッチ用のペン芯先を備える。
ペン芯先が軟質繊維素材からなっているため、当該ペン先がパネルに突き当たることを防止し、又は、パネル上で移動する時のパネルの擦れ傷を防止する。
【０００７】
本発明の１つの実施例に係る補充ペン芯は、１つの軸部と、当該軸部の両端に設けられている２つの予備ペン芯と、前記軸部と前記予備ペン芯の間に設けられている環状凹溝とを含み、前記予備ペン芯と前記軸部を分離させることにより当該予備ペン芯は予備用のタッチペン芯になる。
【０００８】
本発明のもう１つの実施例に係る補充ペン芯は、１つの軸部と、当該軸部の一端に設けられている１つの予備ペン芯と、前記軸部と前記予備ペン芯の間に設けられている環状凹溝とを含む。
【発明の効果】
【０００９】
本発明によれば、当該タッチペン芯が砂塵等で汚れている場合、新しいタッチペン芯に交換することが可能になり、従って、汚れているタッチペン芯がパネルに突き当たることを防止し、又は、パネル上で移動する時のパネルの擦れ傷を防止することができる。
【図面の簡単な説明】
【００１０】
【図１】従来技術によるタッチパネルを備える電子装置におけるタッチペン及びタッチパネルを示す立体図である。
【図２】タッチパネルを備える電子装置上に保護フィルムが貼り付けている状況を示す。
【図３】本発明の第１の実施の形態に係るパネルの傷つきを減少させるタッチペンを示す。
【図４】本発明の第１の実施の形態に係るタッチペンの組立図である。
【図５】本発明の第１の実施の形態に係るタッチペンのタッチパネル上での筆記状態を示す。
【図６】本発明の第１の実施の形態に係る補充ペン芯を示す。
【図７】本発明の補充ペン芯の１つの予備ペン芯が切断されてペン軸内に補充される状態を示す。
【図８】本発明の第２の実施の形態に係るパネルの傷つきを減少させるタッチペン及び補充ペン芯を示す。
【発明を実施するための最良の形態】
【００１１】
以下、添付図面を参照して本発明の実施形態について詳細に説明する。
下記説明において、類似部品は同じ標記番号で示す。
【００１２】
図３及び図４に示すように、本発明の第１の実施の形態に係るパネルの傷つきを減少させるタッチペンは、ペン軸部材１０、タッチペン芯２０、複数の予備用のタッチペン芯２０I、及び補充ユニット３０を含む。
【００１３】
該ペン軸部材１０は、ペン軸１１と、該ペン軸１１の底端に螺着されているペン先１２と、前記ペン軸１１底端に取り付けられて該タッチペン芯２０を保護する前端カバー１３と、前記ペン軸１１上端に設けられている後端カバー１４と、を備える。前記ペン軸１１は中空管状になっており、かつ、前記複数の予備用タッチペン芯２０Iを収納する収納空間１１１を備え、該後端カバー１４と該ペン先１２が互いに連結されて当該ペン軸１１を密閉させ、該予備用のタッチペン芯２０Iは当該収納空間１１１内に保持されている。前記後端カバー１４には１つの凹溝１４１が設けられている。
【００１４】
前記タッチペン芯２０は、前記ペン軸部材１０に着脱可能に設けられ、かつ、軟質繊維素材からなるパネルタッチ用のペン芯先２１と、該ペン芯先２１から延びられ、着脱可能に前記ペン先１２に差し込まれているペン芯軸部２２と、前記ペン芯先２１に付着される潤滑剤２３とを備える。前記ペン芯先２１の素材は、綿、絹、ナイロン糸、レーヨン、ポリエステル繊維、人造絹糸、羊毛、アクリル系繊維、ライクラ、及び亜麻の中の一種類又は組み合わせにより構成され、本実施の形態において、好ましくは、前記ペン芯先２１の素材として綿材を採用し、潤滑剤２３としてワックス及び潤滑油脂の混合物を採用する。
【００１５】
ここで、前記ペン芯先２１の潤滑剤２３は使用者がタッチパネル１０２に筆記する直前に付着させることも可能であり、又は、前記ペン芯先２１を加工成形させる時に既に付着させることも可能であり、本実施の形態においては、前記ペン芯先２１の潤滑剤２３は使用者がタッチパネル１０２に筆記する直前に付着させることにしている。
前記タッチペン芯２０Iの構造と材質は前記タッチペン芯２０と完全一致しており、当該タッチペン芯２０を交換することが可能である。
【００１６】
前記補充ユニット３０は、前端カバー１３の前記ペン軸１１から離れる一端に設けられている潤滑部材３１と、該前端カバー１３を嵌めてかつ該潤滑部材３１を覆うカバー３２を含み、ここで、前記潤滑部材３１はワックス及び潤滑油脂の混合物を含む。
【００１７】
図５に示すように、使用者が電子装置１のタッチパネル１０２上に筆記する前に、先ずタッチペン芯２０のペン芯先２１に潤滑剤２３を付着させた後に、タッチパネル１０２上に筆記する。
【００１８】
当該ペン芯先２１に潤滑剤２３が付着されているため、ペン芯先２１がタッチパネル１０２上で移動する場合、タッチパネル１０２の表面上に液体潤滑層が形成され、従って、前記ペン芯先２１の移動が更に円滑になり、かつ、前記ペン芯先２１は綿材により構成されているため、従来技術のタッチペン１０３に比べて、本発明はタッチパネル１０２の擦れ傷を防止し、タッチパネル１０２上の表示内容がはっきり見える。
【００１９】
また、長期間使用又は環境の影響により、タッチパネル１０２の表面に砂塵が堆積され、前記ペン芯先２１はタッチパネル１０２上に堆積されている砂塵を動かせることでタッチパネル１０２に擦れ傷が発生するため、適切に当該タッチパネル１０２表面上の砂塵を除去すべきであり、使用者は潤滑部材３１（図３を参照）上の潤滑剤を前記タッチペン芯２０に付着させて、前記ペン芯先２１の砂塵付着能力を高め、従って、タッチパネル１０２上の砂塵を除去する目的が達成できる。
【００２０】
図３及び図４に示すように、前記タッチペン芯２０のペン芯先２１に砂塵が付着されて交換する必要がある場合、予備用のタッチペン芯２０Iで前記タッチペン芯２０を入れ替える。具体的には、汚れているタッチペン芯２０を取り除き、後端カバー１４を外してペン軸１１から予備用のタッチペン芯２０Iを取り出し、ここで、後端カバー１４の凹溝１４１で前記予備用のタッチペン芯２０Iを受け入れ、それから、当該後端カバー１４をペン先１２のほうへ移動させ、前記予備用のタッチペン芯２０Iのペン芯軸部２２をペン先１２に差し込み、その後、後端カバー１４を元の位置に戻して続いて使用する。
【００２１】
汚れているタッチペン芯２０を捨てる前に潤滑剤２３を利用してタッチパネル１０２上の砂塵を除去するため、タッチパネル１０２上には微量の潤滑剤２３が残って液体潤滑層を形成し、これにより、タッチパネル１０２と前記ペン芯先２１の間の摩擦抵抗を減少させ、新しいタッチペン芯２０がタッチパネル１０２上で流暢に移動でき、また、摩擦抵抗が大きく感じられる場合、適切に潤滑剤２３を利用して前記タッチパネル１０２とペン芯先２１の間の摩擦抵抗を大幅に減少させることができる。
【００２２】
図３、図４、及び図５に示すように、本発明では汚れているタッチペン芯２０を交換することにより、タッチパネル１０２は常に砂塵が堆積されない状況になっており、また、タッチパネル１０２との接触部位であるタッチペン芯２０のペン芯先２１が軟質繊維からなっているため、当該ペン芯先２１がタッチパネル１０２に突き当たることを防止し、又は、タッチパネル１０２上で移動する時の擦れ傷を防止する。
【００２３】
前記タッチペン芯２０のペン芯先２１を交換することにより、前記収納空間１１１内の予備用のタッチペン芯２０Iを使い切った場合、予備用のタッチペン芯２０Iを補充する必要がある。
【００２４】
図３、図６、及び図７に示すように、本発明の第１の実施の形態に係る補充ペン芯４０は、１つの軸部４１と、当該軸部４１の両端に設けられている２つの予備ペン芯４２と、前記軸部４１と前記予備ペン芯４２の間に設けられている環状凹溝４３とを含む。
【００２５】
前記予備用のタッチペン芯２０Iを補充する場合、使用者はペン先１２を外すことにより前記ペン軸１１の密閉されている収納空間１１１に開口が設けられ、その後、前記補充ペン芯４０の軸部４１を手に持って１つの予備ペン芯４２を前記収納空間１１１内の適切なところに差し込んだ後、湾曲させて前記補充ペン芯４０を前記環状凹溝４３が設けられている箇所で切断させ、これにより、前記予備ペン芯４２と軸部４１を分離させ、前記予備ペン芯４２は予備用のタッチペン芯２０Iになる。
【００２６】
図５に示すように、前記ペン芯先２１は軟質繊維素材からなっているため、当該ペン芯先２１とタッチパネル１０２が突き当たる時、又は、前記ペン芯先２１がタッチパネル１０２上で移動する時に、タッチパネル１０２の擦れ傷を防止し、かつ、ペン芯先２１に付着されている潤滑剤２３を利用して前記タッチパネル１０２上での前記ペン芯先２１の移動する際の抵抗を減少させ、かつ、前記タッチパネル１０２上に堆積されている砂塵を適切に除去し、従来の技術に比べ、本発明はパネルの傷つきを効率的に減少させ、本発明の目的を達成することができる。図８は、本発明の第２の実施の形態に係るパネルの傷つきを減少させるタッチペン及び補充ペン芯
を示し、ここで、タッチパネルを備える電子装置が小さい場合、タッチペンの小形化が要求され、本実施の形態ではその場合に適用されるタッチペンを工夫しており、具体的には、ペン軸１１とペン先１２が一体成形され、後端カバー１４とペン軸１１が螺着されている。当該補充ペン芯４０は、１つの軸部４１と、当該軸部４１の一端に設けられている１つの予備ペン芯４２と、前記軸部４１と前記予備ペン芯４２の間に設けられている環状凹溝４３とを含み、これにより、使用者は前記予備ペン芯４２を交換する際に補充ペン芯４０を交換することで済み、即ち、後端カバー１４を外して予備ペン芯４２を取り出した後、新しい補充ペン芯４０をペン先１２に差し込み、指先で前記環状凹溝４３を把持した状態で後端に向けて引っ張ることにより装着でき、引き続き使用が可能になる。
【００２７】
当該分野の技術を熟知するものが理解できるように、本発明の好適な実施形態を前述の通り開示したが、これらは決して本発明を限定するものではない。本発明の主旨と範囲を脱しない範囲内で各種の変更や修正を加えることができる。従って、本発明の特許請求の範囲は、このような変更や修正を含めて広く解釈されるべきである。
【符号の説明】
【００２８】
１  タッチパネルを備える電子装置
１０１  本体
１０２  タッチパネル
１０３  タッチペン
２  保護フィルム
１０  ペン軸部材
１１  ペン軸
１１１  収納空間
１２  ペン先
１３  前端カバー
１４  後端カバー
１４１   凹溝
２０  タッチペン芯
２１  ペン芯先
２２  ペン芯軸部
２３  潤滑剤
２０I  タッチペン芯
３０  補充ユニット
３１  潤滑部材
３２  カバー
４０  補充ペン芯
４１  ペン芯軸本体
４２  予備ペン芯
４３  環状凹溝
【図１】
2010282620.tif 000003
【図２】
2010282620.tif 000004
【図３】
2010282620.tif 000005
【図４】
2010282620.tif 000006
【図５】
2010282620.tif 000007
【図６】
2010282620.tif 000008
【図７】
2010282620.tif 000009
【図８】
2010282620.tif 000010